(57)【要約】【課題】履用者の足にフィットして、足への負担を軽減させる。【解決手段】爪先部位から甲部位を被覆する甲被覆部と、この甲被覆部を幅方向に緊縛するベルトとを備える。甲被覆部は、幅方向に伸縮性を有する皮革からなり、ベルトによって皮革の幅方向の伸縮量が調節されることによって挿入された足の甲部位の幅、形状及び動きに沿って甲被覆部が伸縮し、足に密着させ、更にこの伸縮量をベルトで調節することに密着した状態が維持されている。【選択図】  図１
2004174051.tif 000002
【特許請求の範囲】
【請求項１】
皮革材によって形成され、少なくとも爪先部位から甲部位を被覆する甲被覆部と、この甲被覆部を幅方向に緊縛するベルトとを有する革靴において、
上記甲被覆部は、幅方向と直交する多数条の襞を形成することによって幅方向の伸縮性が付与された幅広の皮革材によって形成され、上記ベルトを締め付けることによって伸縮を規制されることを特徴とする革靴。
【発明の詳細な説明】
【０００１】
【発明の属する技術分野】
本発明は、ビジネスシューズやハイヒール等、革靴全般に適用されるものであって、履用者の足の形状や動きに合わせて、特に爪先部位から甲部位を被覆する甲被覆部の幅量が調節自在とされる革靴に関する。
【０００２】
【従来の技術】
靴は、服装や流行、その時の場に合わせて、革靴やスニーカ、ウォーキングシューズ等の中から選択して履かれる。これらのどの靴においても、標準のサイズが設けられており、例えば２３．５ｃｍや２５．０ｃｍ等で示された足の大きさによるサイズ分けや、Ｅ〜ＥＥＥＥＥ等で示された足の幅によるサイズ分けがなされている。靴のサイズは、履用者によって上述した標準のサイズの中から選択される。
【０００３】
しかしながら、履用者の足は、左右で必ずしも一致するとは限らないため、左右共に同じ大きさからなる既製品の靴に両足が合うとは限らない。また、足の形状及び大きさには、個人差があり、特に足の甲部位の高さや幅においては個人差が大きい。したがって、標準のサイズの中から選択した靴であっても、履用者の足に完全にフィットするとは限らない。
【０００４】
例えば、スニーカでは、ある程度の伸縮性を有する布等で爪先部位から甲部位を被覆する甲被覆部が形成されているため、幅方向に対して適度な伸縮性があり軽量である。このことから、スニーカは、履き心地も良く、斬新なデザインとともに若者達を中心として履かれている。スニーカでは、上述したような標準のサイズに製造されていても、甲被覆部に紐やベルトが備え付けられているため、甲部位の幅や高さに合わせて大きさを多少調節することが可能である。したがって、スニーカでは、履用者が自ら自分の足の形状や状態、動きに合わせて、甲被覆部を紐やベルトで調節して足に負担がかからないようにすることができる。
【０００５】
しかしながら、スニーカ等は、いわゆる若者向き、スポーティ感覚、遊び感覚で履かれることが多く、比較的年配者やフォーマルな服装を着たビジネスマン等にとっては馴染みがない。
【０００６】
したがって、革靴は、スニーカ等とＴＰＯを異にして履かれている。革靴は、一般に比較的伸縮性が小さな皮革材によって形成され、高級感を有するとともに、雨天等の場合にも内部に雨水が染み込むことが無いといった特性を有している。なお、革靴にも、いわゆる紐付き靴として甲部位の状態に応じて紐の締め付け具合を調節することにより、多少の調整を行うことが可能である。
【０００７】
【発明が解決しようとする課題】
ところで、靴は、履用者が自分の足に合っていない場合や馴染んでいない場合に、長時間履いて歩行したり立っていたりすると、大きな負担をかけて履用者の足を痛めてしまったり、足が疲れやすくなってしまう。また、靴は、履用者の足の大きさや状態が時間帯、例えば朝と半日経った夕方とで異なり、体調状態によって異なるために、購入時に合わせても合わなくなってしまう場合がある。
【０００８】
特に革靴は、履き始めは皮革が足に馴染んでいないが、繰り返し履くことにより足の動きによって皮革が伸びてしまう。革靴では、皮革が伸びてしまうことによって内部で足が無駄に動いてしまい、例えば踵の高い靴の場合では爪先部位が先端方向にずれ落ち、爪先部位が靴の先端にあたり爪先部位や指を痛めてしまうことがある。また、革靴は、伸縮性のない皮革から形成されていることできつく感じるため、サイズの大きいものを購入してしまう場合がある。このような場合、履用者は、皮革の伸びにより幅等が大きくなってしまった靴は脱げ易くなり歩きづらくなるため、購入した靴を履かなくなってしまう場合がる。
【０００９】
例えば、外反母趾等の足の障害を有する者においては、足の形状変化が大きいために標準サイズの靴を履くことは殆ど不可能である。かかる履用者でも、フォーマルな外出、服装或いは気分によって革靴を履きたいと思うことはある。しかしながら、従来の標準の革靴では、履くことは困難であった。
【００１０】
したがって、本発明は、このような従来の実情を鑑みて提案されたものであり、足に負担をかけず精神的な苦痛を和らげるようにする革靴を提供することを目的とする。
【００１１】
【課題を解決するための手段】
上述した目的を達成する本発明にかかる革靴は、皮革材によって形成され、少なくとも爪先部位から甲部位を被覆する甲被覆部と、この甲被覆部を幅方向に緊縛するベルトとを有する構成である。甲被覆部は、幅方向と直交する多数条の襞を形成することによって幅方向の伸縮性が付与された幅広の皮革材によって形成され、ベルトを締め付けることによって伸縮を規制される。
【００１２】
以上のような構成を有する革靴では、爪先部位から甲部位を被覆する甲被覆部が幅方向に対して伸縮性を有する皮革材によって形成されているため、多少足の形状が変わっていても甲被覆部が伸縮して全体にフィットするようになる。革靴によれば、この状態でベルトを締め付けることによって甲被覆部の伸縮を規制することでフィットした状態が保持されるようになる。
【００１３】
したがって、この革靴によれば、履用者の足の形状や状態にかかわらず、極めて良好な履き心地が得られるようになるとともに、部分的な当たり等も解消され、また足への負担及び精神的な苦痛が軽減されて軽快な歩行がなされるようになる。
【００１４】
【発明の実施の形態】
以下、本発明の実施の形態について、図面を参照して詳細に説明する。実施の形態として示す靴１は、図１及び図２に示すように、履用者の足の爪先部位から甲部位を被覆する甲被覆部２と、甲被覆部２を幅方向に緊縛するベルト３とを備える。なお、靴１は、挿入した足全体を被覆する形態の靴であり、底を形成する靴底４と、踵部位及び甲部位から踵部位までを被覆する踵被覆部５と、甲被覆部２の長さ方向に対して爪先部位と相対する位置の踵接続部６とが接続されて内部に挿入された足の甲部位及び側部を覆っている。靴１は、甲被覆部２の先端に爪先部位を保護する先芯７を有し、甲被覆部２、踵接続部６及び先芯７の各々が靴底４に縫着或いは接着されて固定される。
【００１５】
甲被覆部２は、甲部位の幅及び高さに応じた形状の形成されており、標準の大きさになるように両端が靴底４に接合され、甲部位全体を被覆している。甲被覆部２は、踵被覆部５の端部と踵接続部６で接合されて、踵被覆部５と共に内部への足の履き口８を形成し、挿入された足の外周を覆っている。
【００１６】
甲被覆部２は、通気性のよい天然皮革や丈夫な合成皮革等の皮革からなり、甲部位の幅方向及び高さ方向に沿って全体を被覆する。甲被覆部２は、標準サイズに対して幅広の皮革材が用いられる。甲被覆部２は、例えば、図３及び図４に示すように、甲部位の幅方向に亘って、皮革に蛇腹や波形、亀甲等の襞付け加工が幅方向と直交する方向に施される。なお、襞付け加工は、蛇腹や波形、亀甲等を形成する際に伸縮性のある素材を用いて形成する。また、甲被覆部２には、カーフや揉み革等の柔らかい革を用いるようにしてもよい。
【００１７】
したがって、甲被覆部２は、自然状態で標準サイズの幅となるように形成されている。甲被覆部２は、皮革に上述した襞付け加工が施されていることによって、幅方向に対して伸縮が可能となり幅方向の絶対量が大きくなる。なお、甲被覆部２は、皮革の裏に例えばメッシュ等の柔らかく、通気性のよい布を縫い合わせて、甲部位の履き心地をよくするようにしてもよい。
【００１８】
甲被覆部２は、襞付け加工が施されて伸縮性が付与されることにより、靴１の内部に挿入した履用者の爪先部位から足の甲部位の幅や形状、動きに合わせて適宜変形して、甲部位に密着するようになる。甲被覆部２は、例えば、履用者の足の形状が外反母趾等により一部が突出した形状や補装具が装着されて器具が突出している場合であっても、図２中の破線で示すように、足の形状に沿って伸縮するため突出した部分を圧迫せずに被覆する。
【００１９】
甲被覆部２には、靴１の内部に挿入された足の甲部位に密着させた状態を保持するために、幅方向の伸縮量を調節するベルト３が備え付けられている。なお、甲被覆部２は、襞付け加工が施されることにより装飾的な外観も呈するようになる。
【００２０】
ベルト３は、図２に示すように、例えば伸縮性の小さい合成繊維等からなり、第１のベルト部９と第２のベルト部１０との一対から構成され、第１のベルト部９と第２のベルト部１０とを接続するとともに、甲被覆部２の幅方向の長さ調節を行う調節具１１が備え付けられている。
【００２１】
ベルト３は、靴１の内部に挿入した足の親指側となる甲部位の内側と、小指側となる甲部位の外側とに、第１のベルト部９と、第２のベルト部１０とが対峙するように設けられている。具体的に、ベルト３は、各ベルト部９、１０の一端が甲被覆部２の靴底４との接続部分の近傍に、約５ｍｍ〜１ｃｍの幅で靴底４に沿って縫着されて縫目１２が形成されており、甲被覆部２に備え付けられている。なお、ベルト３は、第１のベルト部９及び第２のベルト部１０の一端を縫着することに限定せず、接着材等を用いて一端を甲被覆部２に接着して備え付けるようにしてもよい。また、ベルト３は、甲被覆部２と靴底４とを縫い合わせる際に、甲被覆部２と靴底４との間に挟み込み甲被覆部２と共に縫い合わせて、備え付けるようにしてもよい。
【００２２】
調節具１１は、第１のベルト部９又は第２のベルト部１０のどちらか一方、例えば第２のベルト部の端部に第１のベルト部の端部が挿通可能な大きさに構成された挿通枠１３とを備え付け、挿通枠の１６の内部に備え付けられ、第１のベルト部１０に形成された係合孔１４と係合される突棒１５とが備え付けられた美錠からなる。調節具１１は、第１のベルト部９に形成されている係合孔１４のうち一つを第２のベルト部１０の突棒１５を係合することによって、第１のベルト部９と第２のベルト部１０とを接続している。
【００２３】
したがって、ベルト３では、第２のベルト部１０の突棒１５を足の甲部位の幅や形状、動きに合わせて、第１のベルト部９の係合孔１４のいずれか一つに係合して第１のベルト部９と第２のベルト部１０とを接続することによって、甲被覆部２の幅方向への拡がり量が調節され、甲被覆部２が甲部位に密着した状態が保持されるようにする。
【００２４】
また、ベルト３では、調節具１１で爪先部位から甲部位にかけて甲被覆部２が密着することによって、内部の足が固定されて爪先部位が靴１の先芯７の方向にずれ落ちてしまうことが防止されている。このため、ベルト３によって、踵の高い靴やストッキング等を着用している場合等では、先芯７の方向へ爪先部位がずれ落ちてしまうことが防止され、爪先への負担が軽減される。さらにベルト３は、甲被覆部２との色の調和や取り付け位置を工夫することによって装飾的な機能も有する。
【００２５】
なお、ベルト３は、足の形状によって突出した部分に当たらないように、取り付け位置を適宜変え、甲被覆部２の長さ方向に対して複数取り付けるようにして甲被覆部２を締め付けるようにしてもよい。また、ベルト３は、第１のベルト部９と第２のベルト部１０のように、一対から構成されることに限定されず、例えば一本の面ファスナーを甲部位の幅方向に内側から外側へと渡すようにしたり、甲被覆部２と靴底４との間に挟み込み靴１の内部を通して甲被覆部２両端を接合するようにしてもよい。調節具１１は、上述した美錠に限定されず、足の甲部位の幅や形状に合わせて調節可能とされる構成を有していればよい。
【００２６】
靴底４には、挿入した足裏が接触する部分であり、靴１の基礎となり甲被覆部２及び踵被覆部５が接続されている。靴底４は、耐摩耗性、反発性、衝撃吸収性等を有する部材からなり、例えば、これらの部材を積層接着させたものにより形成されている。靴底４は、例えばハイヒール等のように、踵の高いものであってもよい。
【００２７】
踵被覆部５は、踵部位及び甲被覆部２の踵接続部６から踵部位までの足の側部を被覆している。踵被覆部５は、適度な伸縮性と通気性を有するナイロン等の合成繊維や皮革等を部材としている。踵被覆部５は、一端が甲被覆部２の踵接続部６と縫着されて、甲被覆部２と共に足を挿入する際の履き口８を形成している。
【００２８】
以上のように構成された靴１によれば、足の爪先部位から甲部位を覆う甲被覆部２が皮革材に襞付け加工を施して皮革材に幅方向の伸縮性が付与され、足の甲部位の形状や状態、動きに合わせて甲被覆部２が伸縮するようになる。したがって、靴１では、甲被覆部２の伸縮性により、どのような状態であっても履用者の足に常に密着するようになるため、足への負担や精神的苦痛を軽減する。靴１では、若しくは変形した形状や補装具の着装により突出した部分を有していることで既製品の靴を履くことができなかった履用者であっても、突出した部分に沿って甲被覆部２が伸縮して被覆するため、足を内部に完全の挿入することができ、更に突出した部分が圧迫されずに履けるようになる。
【００２９】
また、靴１によれば、甲被覆部２の伸縮性により、内部に足を挿入する際に履き口８が足の形状に対応して拡がり、年配者や障害者の方でも容易に脱ぎ履きができるようになる。更に、靴１によれば、甲被覆部２に備え付けたベルト３によって、甲被覆部４の伸縮性が調節されるため、甲被覆部２が足により密着すると共に、足が固定されて内部で足が無駄に動いてしまうことが防止される。なお、上述した靴１では、挿入した足全体を被覆する構造としたが、これに限定されずサンダル等の踵被覆部５の構成を有さない、踵が被覆されていない靴であっても甲被覆部２の構成を利用することができる。また、甲被覆部２の構成は、子供靴から婦人靴、紳士靴まで年齢、性別及び靴の形状を問わず靴全般に利用することができる。特に、甲被覆部２の構成は、パンプス等の婦人靴に適用される。
【００３０】
更に、靴１では、甲被覆部２を図２に示す甲被覆部２に限定せず、図５に示す甲被覆部３０や図６に示す甲被覆部４０であってもよい。なお、以下の説明において上述した靴１と同等の部位については、説明を省略すると共に、図面において同符号を付するものとする。
【００３１】
甲被覆部３０は、図５に示すように、上述した甲被覆部２と同様に、甲部位の幅方向に対して皮革に蛇腹や波形、亀甲等の襞付け加工が施されている。甲被覆部３０は、靴１を作製する際に踵被覆部５と接続される踵接続部３１、及び履き口８の一部を形成している挿入部３２の皮革を上述した甲被覆部１よりも更に幅広く裁断する。甲被覆部３０は、踵被覆部５と縫着される際に、幅広く裁断した踵接続部３１及び挿入部３２の皮革を縫い縮めて波状のヒダを形成し、標準サイズの幅となるように縫着される。また、甲被覆部３０では、ベルト３を編み込めるようにベルトガイド３３を形成して、ベルト３の位置を固定するようにしてもよい。なお、このベルトガイド３３は、甲被覆部３０に限らず、上述した甲被覆部２や後述する甲被覆部４０に形成するようにしてもよい。
【００３２】
甲被覆部３０では、ヒダを形成して踵接続部３１及び挿入部３２を形成することによって、靴１の内部に足を挿入する際に縫い縮めたヒダが足の幅や形状に応じて拡がり、幅の広い人や甲高の人であっても靴１の内部への足の挿入が容易になる。また、この甲被覆部３０では、ヒダが形成されることによって、皮革に施した襞付け加工による伸縮に加えて更に幅方向への拡がりが得られるため、足の形状を測定して特別に自分に合った靴１を作ったりせずに、自分の足に合った靴１が得られるようになる。
【００３３】
また、図６に示すように、甲被覆部４０は、中央部に略Ｖ字状の拡張部４１が形成されている。拡張部４１は、図７に示すように、内部に折り込まれる折り込み部４２が任意の幅をもって形成されている。甲被覆部４０では、皮革の伸縮性に加えて、この折り込み部４２により幅方向の拡がりが更に付与されている。また、甲被覆部４０では、略Ｖ字状の拡張部４１が形成されていることによって、履き口８の一部を形成している４２が皮革の伸縮性に加えて更に拡がるようになる。したがって、甲被覆部４０は、特に甲高の人にとって靴１の内部への足の挿入が容易になり、高い甲部位であっても甲部位に密着して、足への負担が軽減される。
【００３４】
なお、本発明の靴１は、甲被覆部２に柔らかい革を用い伸縮性が付与されており、この甲被覆部２をベルト３で締め付ける構成からなるため、多くの足の形状に対応できるものであるが、更に特殊な足の形状であってもセミオーダーとすることにより、履用者の足にあったものを作製することが可能であり、汎用性を有する。また、本発明の靴１は、ビジネスシューズやハイヒール等、靴全般にも適用可能である。
【００３５】
【発明の効果】
以上詳細に説明したように本発明にかかる革靴は、甲被覆部の皮革が爪先部位から甲部位の幅方向に対して伸縮性を有するため、履用者の足の形状や状態、動きに合わせて甲被覆部が伸縮し、履用者の足に甲被覆部が密着する。また、靴では、甲被覆部に備え付けられたベルトによって、足の形状や状態、動きに合わせて甲被覆部の伸縮量が調節されるため、爪先部位から甲部位にかけて甲被覆部が密着した状態が維持される共に内部の足が安定される。したがって、革靴よれば、革靴と足とが一体となり、足への負担や精神的な苦痛が和らげられると共に、履用者によって軽快な歩行がなされるようになる。
【図面の簡単な説明】
【図１】本発明の実施の形態として示す靴の斜視図である。
【図２】同靴の平面図である。
【図３】同靴の甲被覆部の要部拡大図である。
【図４】同靴の甲被覆部の要部拡大図である。
【図５】同靴の甲被覆部にヒダを設けた状態の平面図である。
【図６】同靴の甲被覆部に拡張部を設けた状態の平面図である。
【図７】同靴の拡張部の拡大図である。
【符号の説明】
１  靴、２  甲被覆部、３  ベルト、４  靴底、５  踵被覆部、６  踵接続部、７  先芯、８  、９  挿入部、１０  拡張部、１２  第１のベルト部、１３  第２のベルト部、１４  調節具、１５  縫目、１６  挿通枠、１７  係合孔、１８突棒
【図１】
2004174051.tif 000003
【図２】
2004174051.tif 000004
【図３】
2004174051.tif 000005
【図４】
2004174051.tif 000006
【図５】
2004174051.tif 000007
【図６】
2004174051.tif 000008
【図７】
2004174051.tif 000009